(57)【特許請求の範囲】
【請求項１】
送信する側と受信する側との間で、伝送媒体を介してディジタル伝送する伝送システムの周波数補償手段であって、
上記送信する側には、
基準周波数の信号を発生する基準信号発生器と、
この基準信号発生器の基準周波数の信号に同期した周波数の信号を発生する第一、第二、第三の局部発振器と、
前記第一の局部発振器の信号を用いて周波数ｆＲＦの伝送信号を周波数変換する第一の周波数変換器と、
前記第一の周波数変換器で周波数変換した信号のうち所定周波数の信号のみを抽出して出力する第一の帯域制限フィルタと、
前記第二の局部発振器の信号を用いて前記第一の帯域制限フィルタから出力された信号をアナログ信号からディジタル信号に変換するＡ／Ｄ変換器と、
前記第三の局部発振器の信号を用いて前記Ａ／Ｄ変換器から出力された信号をパラレル信号からシリアル信号に変換する第一のＳｅｒＤｅｓ部と、
前記第一のＳｅｒＤｅｓ部の出力を上記伝送媒体に出力する手段と、を具え、
上記受信する側には、
前記伝送媒体を介して伝送されたシリアル信号をパラレル信号に変換する第二のＳｅｒＤｅｓ部と、
前記第二のＳｅｒＤｅｓ部から出力された一方の信号から基準周波数の信号に同期した周波数の信号を出力する第四の局部発振器と、
前記第四の局部発振器の信号を用いて前記第二のＳｅｒＤｅｓ部から出力された他方の信号をディジタル信号からアナログ信号に変換するＤ／Ａ変換器と、
前記第二のＳｅｒＤｅｓ部から出力された一方の信号から基準周波数の信号に同期した周波数の信号を出力する第五の局部発振器と、
前記第五の局部発振器の信号を用いて前記Ｄ／Ａ変換器から出力された信号を周波数変換する第二の周波数変換器と、
前記第二の周波数変換器で周波数変換した信号のうち所定周波数の信号のみを抽出して出力する第二の帯域制限フィルタと、
を具えた、
ことを特徴とする伝送システムの周波数偏差補償手段。
【請求項２】
送信する側と受信する側との間で、伝送媒体を介してディジタル伝送する伝送システムの周波数偏差補償方法において、
送信する側には、基準信号発生器と、第一の局部発振手段と、第一の周波数変換器と、第一の帯域制限フィルタと、Ａ／Ｄ変換器と、第一のＳｅｒＤｅｓ部と、を具え、
受信する側には、第一のＳｅｒＤｅｓ部と、第二の局部発振手段と、Ｄ／Ａ変換器と、第二の周波数変換器と、第二の帯域制限フィルタと、を具え、
送信する側では、前記基準信号発生器が基準周波数の信号を発生し、前記第一の局部発振手段がこの基準周波数の信号に同期した周波数の信号を発生し、前記第一の周波数変換器が第一の局部発振手段の出力信号を用いて周波数ｆＲＦの伝送信号を周波数変換し、前記第一の帯域制限フィルタがこの周波数変換した信号のうち所定周波数の信号のみを抽出し、前記Ａ／Ｄ変換器がこの抽出した所定周波数の信号を上記第一の局部発振手段の出力信号を用いてアナログ信号からディジタル信号に変換し、前記第一のＳｅｒＤｅｓ部がこのディジタル信号を前記第一の局部発振手段の出力信号を用いてシリアル信号に変換し、これを前記伝送媒体に送出し、
受信する側では、前記第二のＳｅｒＤｅｓ部が前記伝送媒体を介して送られてきたシリアル信号をパラレル信号に変換し、前記第二の局部発振手段が前記第二のＳｅｒＤｅｓ部から出力された一方の信号から基準周波数の信号に同期した周波数の信号を出力し、前記Ｄ／Ａ変換器が、前記第二の局部発振手段の信号を用いて前記第二のＳｅｒＤｅｓ部から出力された他方の信号をディジタル信号からアナログ信号に変換し、前記第二の周波数変換器が前記第二の局部発振手段の信号を用いて前記Ｄ／Ａ変換器からの出力アナログ信号を周波数変換し、前記第二の帯域制限フィルタが前記第二の周波数変換器で周波数変換した信号のうち所定周波数の信号のみを抽出して出力する、
ものとした伝送システムの周波数偏差補償方法。
【発明の詳細な説明】
【技術分野】
【０００１】
本発明は、周波数変換を伴う伝送システムの周波数偏差補償手段に関する。
【背景技術】
【０００２】
周波数変換を伴わない伝送システムでは周波数偏差の問題は発生しないが、高周波信号を電気のまま、もしくは光信号に変換してから伝送する場合、長距離伝送したときに信号品質が劣化してしまうため、近年、ディジタル光伝送システムの開発が進められている。このディジタル光伝送システムでは、Ａ／Ｄ（Ａｎａｌｏｇ−ｔｏ−Ｄｉｇｉｔａｌ）変換器でアナログ信号をディジタル信号に変換するために、無線周波数を中間周波数に周波数変換する必要がある。また、ディジタル信号をＤ／Ａ（Ｄｉｇｉｔａｌ−ｔｏ−Ａｎａｌｏｇ）変換器で中間周波数のアナログ信号に変換してから無線周波数に変換するために周波数変換が必要になる。このような周波数変換を伴う伝送システムでは、局部発振器が必要となるが、この局部発振器の基準信号となる基準信号発生器が経年変化等で公称周波数から変化してしまい、基準信号の周波数が変化すると、基準信号に同期した局部発振器の周波数も変化してしまい、結果として伝送信号の周波数も変化してしまう。
【０００３】
このように経年変化等により公称周波数が変化してしまうことやその対策については、特許文献１および特許文献２などで知られている。
【特許文献１】特開２００１−３１３５７５号公報
【特許文献２】特開２００２−３０５４４２号公報
【発明の開示】
【発明が解決しようとする課題】
【０００４】
しかしながら、従来の周波数変換を伴う伝送システムで、基準信号発生器が経年変化等で公称周波数から変化することによる伝送信号の周波数変化を防ぐための安価で有効な対策がなかった。
【０００５】
本発明の目的は、基準信号発生器が経年変化等で公称周波数から変化したとしても、安価な構成で伝送信号の周波数ｆＲＦを偏差なく伝送できるようにした伝送システムの周波数偏差補償手段を提供することにある。
【課題を解決するための手段】
【０００６】
本発明は基準周波数の信号を発生する基準信号発生器と、この基準信号発生器の基準周波数の信号に同期した周波数の信号を発生する局部発振器とを有した伝送システムの周波数偏差補償手段において、前記局部発振器の信号を用いて周波数ｆＲＦの伝送信号を周波数変換する第一の周波数変換器と、この第一の周波数変換器で周波数変換した信号のうち所定周波数の信号のみを抽出して出力する第一の帯域制限フィルタと、第一の帯域制限フィルタの出力を他方側に伝送する伝送媒体とを設け、また前記伝送媒体の他方側に、前記伝送媒体を介して伝送した基準周波数の信号に同期した周波数の信号を出力する第二の局部発振器と、この第二の局部発振器による信号を用いて前記伝送媒体を通して伝送した信号を周波数変換する第二の周波数変換器と、この第二の周波数変換器で周波数変換した信号のうち所定周波数の信号のみを抽出して出力する第二の帯域制限フィルタとを設けたことを特徴とする。
【発明の効果】
【０００７】
本発明による伝送システムの周波数偏差補償手段によれば、経年変化等による公称周波数からの変化量をｘとするとき、基準信号発生器が経年変化等で公称周波数ｆＲＥＦからｆＲＥＦ（１＋ｘ）に変化して、伝送媒体の一方側における第一の周波数変換器による周波数の変化量が−ｆＬＯ（１＋ｘ）となっても、伝送媒体の他方側における第二の周波数変換器による周波数の変化量を＋ｆＬＯ（１＋ｘ）とすることができ、ＧＰＳ（Ｇｌｏｂａｌ  Ｐｏｓｉｔｉｏｎｉｎｇ  Ｓｙｓｔｅｍ）などの高価な設備を使用することなく、コストを抑えて周波数偏差を相殺し、周波数ｆＲＦの伝送信号を偏差なく伝送することができる。
【発明を実施するための最良の形態】
【０００８】
以下、本発明の最良の実施の形態を図面に基づいて説明する。
図１は、本発明の一実施の形態による伝送システムの周波数偏差補償手段を示すブロック図である。
この周波数偏差補償手段は、伝送媒体６の一方側に、経年変化等による公称周波数ｆＲＥＦからの変化量をｘとするとき基準となる周波数ｆＲＥＦ（１＋ｘ）の基準信号を発生する基準信号発生器１と、この基準信号発生器１の基準信号に同期した周波数ｆＬＯ（１＋ｘ）の信号を発生する局部発振器２と、この局部発振器２が出力したｆＬＯ（１＋ｘ）の信号を用いて周波数ｆＲＦの伝送信号を周波数ｆＲＦ＋ｆＬＯ（１＋ｘ）と周波数ｆＲＦ−ｆＬＯ（１＋ｘ）の信号を出力する周波数変換器３と、この周波数変換器３の出力から周波数ｆＲＦ−ｆＬＯ（１＋ｘ）の信号のみを抽出する帯域制限フィルタ４と、この帯域制限フィルタ４が出力した周波数ｆＲＦ−ｆＬＯ（１＋ｘ）の信号と基準信号発生器１が出力した周波数ｆＲＥＦ（１＋ｘ）の基準信号とを合成する合成器５とを有している。
【０００９】
同軸ケーブルなどによって構成した伝送媒体６の他側には、伝送路６からの信号を二分する分配器７と、分配器７の一方の分配信号から周波数ｆＲＥＦ（１＋ｘ）の基準信号のみを抽出する帯域制限フィルタ８と、この帯域制限フィルタ８が出力する周波数ｆＲＥＦ（１＋ｘ）の基準信号に同期した周波数ｆＬＯ（１＋ｘ）の信号を出力する局部発振器９と、分配器７の他方の分配信号から周波数ｆＲＦ−ｆＬＯ（１＋ｘ）の信号のみを抽出する帯域制限フィルタ１０と、局部発振器９が出力するｆＬＯ（１＋ｘ）の信号を用いて帯域制限フィルタ１０から出力される周波数ｆＲＦ−ｆＬ０（１＋ｘ）の信号を周波数ｆＲＦと周波数ｆＲＦ−２ｆＬＯ（１＋ｘ）の信号に周波数変換する周波数変換器１１と、この周波数変換器１１の出力から周波数ｆＲＦの信号のみを抽出する帯域制限フィルタ１２とを備えている。
【００１０】
次に、上述した周波数偏差補償手段により行われる動作について説明する。
基準信号発生器１では、経年変化等による公称周波数からの変化量をｘとするとき、伝送装置の基準となる周波数ｆＲＥＦ（１＋ｘ）の基準信号を発生させ、この基準信号を局部発振器２と合成器５に与えている。基準信号発生器１が出力した周波数ｆＲＥＦ（１＋ｘ）の基準信号を受けた局部発振器２は、この基準信号に同期した周波数ｆＬＯ（１＋ｘ）の信号を周波数変換器３に出力している。
【００１１】
周波数変換器３では、局部発振器２が出力したｆＬＯ（１＋ｘ）の信号を用いて周波数ｆＲＦの伝送信号を周波数ｆＲＦ＋ｆＬＯ（１＋ｘ）と周波数ｆＲＦ−ｆＬＯ（１＋ｘ）の信号にして帯域制限フィルタ４に出力している。帯域制限フィルタ４では、周波数変換器３の出力から周波数ｆＲＦ−ｆＬＯ（１＋ｘ）の信号のみを抽出して合成器５に出力している。合成器５は、帯域制限フィルタ４が出力した周波数ｆＲＦ−ｆＬＯ（１＋ｘ）の信号と、基準信号発生器１が出力した周波数ｆＲＥＦ（１＋ｘ）の基準信号とを合成して、この合成信号を伝送媒体６に出力するようにしている。
【００１２】
伝送路６の他側に接続した分配器７は、伝送媒体６からの合成信号を二分配しており、一方の分配信号を受けた帯域制限フィルタ８は、分配器７からの分配信号から周波数ｆＲＥＦ（１＋ｘ）の基準信号のみを抽出して局部発振器９に出力している。この局部発振器９では、帯域制限フィルタ８が出力する周波数ｆＲＥＦ（１＋ｘ）の基準信号に同期した周波数ｆＬＯ（１＋ｘ）の信号を出力している。
【００１３】
分配器７からの他方の分配信号を受けた帯域制限フィルタ１０は、分配器７の出力から周波数ｆＲＦ−ｆＬＯ（１＋ｘ）の信号のみを抽出してこれを周波数変換器１１に出力している。この周波数変換器１１では、局部発振器９が出力するｆＬＯ（１＋ｘ）の信号を用いて、帯域制限フィルタ１０から出力される周波数ｆＲＦ−ｆＬ０（１＋ｘ）の信号を周波数（ｆＲＦ−ｆＬ０（１＋ｘ））＋ｆＬＯ（１＋ｘ）と周波数（ｆＲＦ−ｆＬ０（１＋ｘ））−ｆＬＯ（１＋ｘ）の信号、つまり、周波数ｆＲＦと周波数ｆＲＦ−２ｆＬＯ（１＋ｘ）の信号に周波数変換して帯域制限フィルタ１２に出力している。この帯域制限フィルタ１２では、周波数変換器１１の出力から周波数ｆＲＦの信号のみを抽出するようにしている。
【００１４】
このような伝送システムの周波数偏差補償手段によれば、伝送媒体６の一方側に、基準信号発生器１の基準周波数ｆＲＥＦ（１＋ｘ）の信号に同期した周波数ｆＬＯ（１＋ｘ）の信号を用いて伝送信号ｆＲＦを周波数変換する周波数変換器３と、この周波数変換器３で周波数変換した信号のうち所定周波数ｆＲＦ−ｆＬ０（１＋ｘ）の信号のみを抽出して出力する帯域制限フィルタ４とを設け、また伝送媒体６の他方側に、基準周波数の信号に同期した周波数ｆＬＯ（１＋ｘ）の信号を用いて伝送媒体６を通して伝送した信号を周波数変換する周波数変換器１１と、この周波数変換器１１で周波数変換した信号のうち所定周波数ｆＲＦ−ｆＬ０（１＋ｘ）＋ｆＬ０（１＋ｘ）の信号のみを抽出して出力する帯域制限フィルタ１２とを設けているため、基準信号発生器１が経年変化等で公称周波数ｆＲＥＦからｆＲＥＦ（１＋ｘ）に変化したとしても、伝送媒体６の一方側における周波数変換器３による周波数の変化量が−ｆＬＯ（１＋ｘ）となり、伝送媒体６の他方側における周波数変換器１１による周波数の変化量を＋ｆＬＯ（１＋ｘ）とすることができ、高価な設備を使用してコストを大幅に上げることなく、周波数偏差を相殺して周波数ｆＲＦの伝送信号を偏差なく伝送することができる。
【００１５】
図２は、本発明の他の実施の形態による伝送システムの周波数偏差補償手段を示すブロック図である。
この周波数偏差補償手段は、伝送媒体６の一方側に、基準となる周波数ｆＲＥＦ（１＋ｘ）の基準信号を発生する基準信号発生器１と、この基準信号発生器１の基準信号に同期した周波数ｆＬＯ（１＋ｘ）の信号を発生する局部発振器２と、この局部発振器２が出力したｆＬＯ（１＋ｘ）の信号を用いて周波数ｆＲＦの伝送信号を周波数ｆＲＦ＋ｆＬＯ（１＋ｘ）と周波数ｆＲＦ−ｆＬＯ（１＋ｘ）の信号を出力する周波数変換器３と、この周波数変換器３の出力から周波数ｆＲＦ−ｆＬＯ（１＋ｘ）の信号のみを抽出する帯域制限フィルタ４と、基準信号に同期した周波数ｆＳ（１＋ｘ）の信号を出力する局部発振器１３と、この局部発振器１３が出力した周波数ｆＳ（１＋ｘ）の信号を用いて、帯域制限フィルタ４が出力した周波数ｆＲＦ−ｆＬＯ１（１＋ｘ）の信号を詳細を後述する周波数ｆＲＦ−ｆＬＯ１（１＋ｘ）−ｆＳ（１＋ｘ）＊ｎのディジタル信号に変換するＡ／Ｄ変換器１４と、基準信号に同期した信号を出力する局発振器１５と、この局部発振器１５が出力する信号を用いて、Ａ／Ｄ変換器１４からのパラレル信号をシリアル信号に変換するＳｅｒＤｅｓ（シリアライザ／デシリアライザ）１６と、このＳｅｒＤｅｓ１６からの電気信号を光信号に変換して出力するＥ／Ｏ（電気／光）変換器１７とを有している。
【００１６】
また、伝送媒体である光ファイバ１８の他方側には、光信号を電気信号に変換して出力するＯ／Ｅ（光／電気）変換器１９と、このＯ／Ｅ変換器１９が出力するシリアル信号をパラレル信号に変換するＳｅｒＤｅｓ（シリアライザ／デシリアライザ）２０と、ＳｅｒＤｅｓ２０で再生された基準信号に同期した信号を出力する局部発振器２１と、この局部発振器２１が出力する信号を用いて、ＳｅｒＤｅｓ２０が出力するディジタル信号をアナログ信号に変換するＤ／Ａ変換器２２と、基準信号に同期した周波数ｆＬＯ２（１＋ｘ）の信号を出力する局部発振器９と、局部発振器９が出力した周波数ｆＬＯ２（１＋ｘ）の信号を用いて、Ｄ／Ａ変換器２２が出力したｆＲＦ−ｆＬＯ１（１＋ｘ）−ｆＳ（１＋ｘ）＊ｎの信号を周波数ｆＲＦ−ｆＬＯ１（１＋ｘ）−ｆＳ（１＋ｘ）＊ｎ＋ｆＬＯ２（１＋ｘ）と周波数ｆＲＦ−ｆＬＯ１（１＋ｘ）−ｆＳ（１＋ｘ）＊ｎ−ｆＬＯ２（１＋ｘ）の信号とに周波数変換して出力する周波数変換器１１と、この周波数変換器１１の出力から周波数ｆＲＦ−ｆＬＯ１（１＋ｘ）−ｆＳ（１＋ｘ）＊ｎ＋ｆＬＯ２（１＋ｘ）の信号のみを抽出して出力する帯域制限フィルタ１２とを備えている。
【００１７】
先の実施の形態では伝送媒体６として同軸ケーブル等を使用したが、この実施の形態における周波数偏差補償手段では、伝送媒体として光ファイバ１８を使用し、ＳｅｒＤｅｓ１６と、Ｅ／Ｏ変換器１７と、Ｏ／Ｅ変換器１９と、ＳｅｒＤｅｓ２０とによって、伝送媒体である光ファイバ１８を介して基準周波数の信号を伝送するための手段を構成している。
【００１８】
次に、この周波数偏差補償手段の動作について説明する。
基準信号発生器１は、経年変化等による公称周波数からの変化量をｘとするとき、伝送装置の基準となる周波数ｆＲＥＦ（１＋ｘ）の基準信号を発生し、局部発振器２に出力する。この局部発振器２では、基準信号発生器１が出力した周波数ｆＲＥＦ（１＋ｘ）の信号に同期した周波数ｆＬＯ１（１＋ｘ）の信号を周波数変換器３に出力する。これを入力した周波数変換器３は、局部発振器２が出力したｆＬＯ１（１＋ｘ）の信号を用いて、周波数ｆＲＦの伝送信号を周波数ｆＲＦ＋ｆＬＯ１（１＋ｘ）と周波数ｆＲＦ−ｆＬＯ１（１＋ｘ）の信号に周波数変換し帯域制限フィルタ４に出力する。この帯域制限フィルタ４では、周波数変換器３の出力から周波数ｆＲＦ−ｆＬＯ１（１＋ｘ）の信号のみを抽出して出力している。
【００１９】
また基準信号発生器１からの周波数ｆＲＥＦ（１＋ｘ）の基準信号は局部発振器１３にも出力され、これを入力した局部発振器１３は、周波数ｆＲＥＦ（１＋ｘ）の基準信号に同期した周波数ｆＳ（１＋ｘ）の信号をＡ／Ｄ変換器１４に出力している。このＡ／Ｄ変換器１４は、局部発振器１３が出力した周波数ｆＳ（１＋ｘ）の信号を用いて、帯域制限フィルタ４が出力した周波数ｆＲＦ−ｆＬＯ１（１＋ｘ）の信号を周波数ｆＲＦ−ｆＬＯ１（１＋ｘ）−ｆＳ（１＋ｘ）＊ｎのディジタル信号に変換する。ここでｎは、｜ｆＲＦ−ｆＬＯ１（１＋ｘ）−ｆＳ（１＋ｘ）＊ｎ｜＜｜ｆＳ（１＋ｘ）／２｜を満たす最大の整数である。つまり、Ａ／Ｄ変換器１４でオーバーサンプリング（ｆＲＦ−ｆＬＯ１（１＋ｘ）＜ｆＳ（１＋ｘ）／２）したとき、ｎ＝０となり、周波数ｆＲＦ−ｆＬＯ１（１＋ｘ）のディジタル信号に変換し、また、アンダーサンプリング（ｆＲＦ−ｆＬＯ１（１＋ｘ）≧ｆＳ（１＋ｘ）／２）したとき、ｎ≠０となり、周波数ｆＲＦ−ｆＬＯ１（１＋ｘ）−ｆＳ（１＋ｘ）＊ｎのディジタル信号に変換する。
【００２０】
さらに基準信号発生器１からの周波数ｆＲＥＦ（１＋ｘ）の基準信号は局部発振器１５にも出力され、これを入力した局部発振器１５は、基準信号発生器１が出力した基準信号に同期した信号をＳｅｒＤｅｓ（シリアライザ／デシリアライザ）１６に与える。このＳｅｒＤｅｓ１６では、局部発振器１５が出力する信号を用いて、Ａ／Ｄ変換器１４からのパラレル信号をシリアル信号に変換してＯ／Ｅ変換器１７に出力する。このＯ／Ｅ変換器１７では、ＳｅｒＤｅｓ１６からの電気信号を光信号に変換して、伝送媒体である光ファイバ１８に出力する。
【００２１】
光ファイバ１８の他端側にはＯ／Ｅ変換器１９が接続され、このＯ／Ｅ変換器１９は、光ファイバ１８が出力する光信号を電気信号に変換してＳｅｒＤｅｓ２０に出力する。このＳｅｒＤｅｓ２０では、Ｏ／Ｅ変換器１９が出力するシリアル信号をパラレル信号に変換する。その後、ＳｅｒＤｅｓ２０で再生された基準信号を入力した局部発振器２１は、基準信号に同期した信号をＤ／Ａ変換器２２に出力する。このＤ／Ａ変換器２２では、局部発振器２１が出力する信号を用いて、ＳｅｒＤｅｓ２０が出力するディジタル信号をアナログ信号に変換する。
【００２２】
またＳｅｒＤｅｓ２０で再生された基準信号を入力した局部発振器９は、この基準信号に同期した周波数ｆＬＯ２（１＋ｘ）の信号を周波数変換器１１に出力する。この周波数変換器１１は、局部発振器９が出力した周波数ｆＬＯ２（１＋ｘ）の信号を用いて、Ｄ／Ａ変換器２２が出力したｆＲＦ−ｆＬＯ１（１＋ｘ）−ｆＳ（１＋ｘ）＊ｎの信号を周波数ｆＲＦ−ｆＬＯ１（１＋ｘ）−ｆＳ（１＋ｘ）＊ｎ＋ｆＬＯ２（１＋ｘ）と周波数ｆＲＦ−ｆＬＯ１（１＋ｘ）−ｆＳ（１＋ｘ）＊ｎ−ｆＬＯ２（１＋ｘ）の信号とに周波数変換して帯域制限フィルタ１２に出力する。その後、帯域制限フィルタ１２では、周波数変換器１１の出力から周波数ｆＲＦ−ｆＬＯ１（１＋ｘ）−ｆＳ（１＋ｘ）＊ｎ＋ｆＬＯ２（１＋ｘ）の信号のみを抽出して出力する。
【００２３】
このような伝送システムの周波数偏差補償手段では、伝送媒体である光ファイバ１８の一方側に、基準信号発生器１の基準周波数の信号に同期した周波数の信号を用いて伝送信号ｆＲＦを周波数変換する周波数変換器３と、この周波数変換器３で周波数変換した信号のうち所定周波数の信号のみを抽出して出力する帯域制限フィルタ４とを設け、また伝送媒体である光ファイバ１８の他方側に、基準周波数の信号に同期した周波数の信号を用いて光ファイバ１８を通して伝送した信号を周波数変換する周波数変換器１１と、この周波数変換器１１で周波数変換した信号のうち所定周波数の信号のみを抽出して出力する帯域制限フィルタ１２とを設けたため、周波数変換器３による周波数の変化量が−ｆＬＯ１（１＋ｘ）となり、また光ファイバ１８の使用に合わせてアナログ信号をディジタル信号に変換するＡ／Ｄ変換器１４による周波数の変化量が−ｆＳ（１＋ｘ）＊ｎとなっても、周波数変換器１１による周波数変化量が−ｆＬＯ１（１＋ｘ）−ｆＳ（１＋ｘ）＊ｎ＋ｆＬＯ２（１＋ｘ）となり、−ｆＬＯ１（１＋ｘ）−ｆＳ（１＋ｘ）＊ｎ＋ｆＬＯ２（１＋ｘ）＝０の関係が成り立てば、基準信号発生器１が経年変化等で公称周波数ｆＲＥＦが周波数ｆＲＥＦ（１＋ｘ）に変化したとしても、伝送信号の周波数ｆＲＦを偏差なく伝送することができる。
【００２４】
上述した実施の形態の説明から分かるように、周波数変換に関係するデバイスが基準周波数の信号に同期していれば、周波数変換はアナログ部またはディジタル部のどちらで行ってもよい。また、周波数変換を任意の回数実行しても、正の方向への周波数の変化量の総和と負の方向への周波数の変化量の総和を等しくすると、基準信号発生器１が経年変化等で公称周波数ｆＲＥＦから周波数ｆＲＥＦ（１＋ｘ）に変化したとしても、高価な設備を使用することなく、周波数ｆＲＦの伝送信号を偏差なく伝送できる。
【産業上の利用可能性】
【００２５】
本発明による周波数偏差補償手段は、図１および図２に示したものに限らず他の構成のものにも適用することができる。
【図面の簡単な説明】
【００２６】
【図１】本発明の一実施の形態による伝送システムの周波数偏差補償手段を示すブロック図である。
【図２】本発明の他の実施の形態による伝送システムの周波数偏差補償手段を示すブロック図である。
【符号の説明】
【００２７】
１  基準信号発生器
２、９  局部発振器
３、１１  周波数変換器
４、８、１０、１２  帯域制限フィルタ
５  合成器
６  伝送媒体
７  分配器
１３、１５、２１  局部発振器
１４  Ａ／Ｄ変換器
１６、２０  ＳｅｒＤｅｓ
１７  Ｅ／Ｏ変換器
１８  光ファイバ
１９  Ｏ／Ｅ変換器
２２  Ｄ／Ａ変換器
【図１】
0004956344.tif 000002
【図２】
0004956344.tif 000003